(57)【要約】【課題】商品の販売を促進する情報処理装置及び販売促進システムであって、商品自体の魅力の向上も期待できる情報処理装置及び販売促進システムを提供することを課題としている。【解決手段】商品の情報が記憶された記憶装置１２と、前記記憶装置１２に記憶された商品に関連することを承認するお寺又は神社である関連施設の情報を受付けて前記記憶装置１２に記憶する関連施設受付手段１１ｄと、前記記憶装置１２に記憶された商品を販売することを承認した施設である販売施設の情報を受付けて前記記憶装置１２に記憶する販売施設受付手段１１ｈとを備えたことを特徴とする。【選択図】図２
2018181274.tif 000002
【特許請求の範囲】
【請求項１】
商品の販売を促進する情報処理装置であって、
商品の情報が記憶された記憶装置と、
前記記憶装置に記憶された商品に関連することを承認するお寺又は神社である関連施設の情報を受付けて前記記憶装置に記憶する関連施設受付手段と、
前記記憶装置に記憶された商品を販売することを承認した施設である販売施設の情報を受付けて前記記憶装置に記憶する販売施設受付手段とを備えた
ことを特徴とする情報処理装置。
【請求項２】
前記販売施設受付手段は、関連施設自体、或いは該関連施設に関連する準関連施設を、販売施設として受付けることが可能なように構成された
請求項１に記載の情報処理装置。
【請求項３】
前記販売施設は、関連施設以外の施設を、販売施設として受付けることが可能なように構成された
請求項１又は２の何れかに記載の情報処理装置。
【請求項４】
前記記憶装置に記憶された関連施設から提供される提供物又はサービスの情報を、該関連施設から受付け、前記記憶装置に記憶する提供受付手段をさらに備えた
請求項１乃至３の何れかに記載の情報処理装置。
【請求項５】
前記提供物が関連施設のパンフレット又はお守りである
請求項４に記載の情報処理装置。
【請求項６】
前記記憶装置に記憶された関連施設が前記記憶装置に記憶された商品に対して行う祈祷の情報を、該関連施設から受付け、前記記憶装置に記憶する祈祷受付手段をさらに備えた
請求項１乃至５の何れかに記載の情報処理装置。
【請求項７】
前記記憶装置に記憶された商品が、祈祷の種類が異なる少なくも６つのサプリメントである学業成就サプリ、武運長久サプリ、恋愛成就サプリ、商売繁盛サプリ、家内安全サプリ及び健康長寿サプリのうちから選ばれた一又は複数のサプリメント、或いは全てのサプリメントである
請求項６に記載の情報処理装置。
【請求項８】
前記記憶装置に記憶された関連施設が行うお祓い情報を、該関連施設から受付け、前記記憶装置に記憶するお祓い受付手段をさらに備えた
請求項１乃至７の何れかに記載の情報処理装置。
【請求項９】
商品の開発者の情報を受付ける開発者受付手段をさらに備えた
請求項１乃至８の何れかに記載の情報処理装置。
【請求項１０】
商品の販売を促進する販売促進システムであって、
サーバと、
前記サーバとネットワークを介して接続された複数の情報端末とを備え、
前記サーバは、商品の情報が記憶された記憶装置と、前記記憶装置に記憶された商品に関連することを承認するお寺又は神社である関連施設の情報を情報端末から受付けて前記記憶装置に記憶する関連施設受付手段と、前記記憶装置に記憶された商品を販売することを承認した施設である販売施設の情報を受付けて前記記憶装置に記憶する販売施設受付手段とを有する
ことを特徴とする販売促進システム。
【発明の詳細な説明】
【技術分野】
【０００１】
本発明は商品の販売を促進する情報処理装置及び販売促進システムに関する。
【背景技術】
【０００２】
従来から商品の販売を促進する種々の情報処理装置及び販売促進システムが開発され、公知になっている。例えば、利用者の過去の商品へのアクセス履歴から商品を絞って値引き等のインセンティブを付与する特許文献１に示すものや、ゲーム等を通じて電子クーポンを付与する特許文献２に示すものや、ある商品を購入した消費者は別の商品を購入することが多い等の消費行動の関係性を用いて販売促進を行う特許文献３に示すものが公知になっている。
【先行技術文献】
【特許文献】
【０００３】
【特許文献１】特許第６０７４３５０号公報
【特許文献２】特開２０１６−４５５７号公報
【特許文献３】特許第５４７４６９６号公報
【発明の概要】
【発明が解決しようとする課題】
【０００４】
しかし、上記特許文献１乃至３に示すものは何れも、消費者の購入意欲を向上させることのみに着目し、販売の促進を行っており、商品自体の魅力が向上する訳ではないため、その効果は限定的である。
【０００５】
商品の販売を促進する情報処理装置及び販売促進システムであって、商品自体の魅力の向上も期待できる情報処理装置及び販売促進システムを提供することを課題としている。
【課題を解決するための手段】
【０００６】
上記課題を解決するため、本発明の情報処理装置は、商品の販売を促進する情報処理装置であって、商品の情報が記憶された記憶装置と、前記記憶装置に記憶された商品に関連することを承認するお寺又は神社である関連施設の情報を受付けて前記記憶装置に記憶する関連施設受付手段と、前記記憶装置に記憶された商品を販売することを承認した施設である販売施設の情報を受付けて前記記憶装置に記憶する販売施設受付手段とを備えたことを特徴とする。
【０００７】
前記販売施設受付手段は、関連施設自体、或いは該関連施設に関連する準関連施設を、販売施設として受付けることが可能なように構成されたものとしてもよい。
【０００８】
前記販売施設は、関連施設以外の施設を、販売施設として受付けることが可能なように構成されたものとしてもよい。
【０００９】
前記記憶装置に記憶された関連施設から提供される提供物又はサービスの情報を、該関連施設から受付け、前記記憶装置に記憶する提供受付手段をさらに備えたものとしてもよい。
【００１０】
前記提供物が関連施設のパンフレット又はお守りであるものとしてもよい。
【００１１】
前記記憶装置に記憶された関連施設が前記記憶装置に記憶された商品に対して行う祈祷の情報を、該関連施設から受付け、前記記憶装置に記憶する祈祷受付手段をさらに備えたものとしてもよい。
【００１２】
前記記憶装置に記憶された商品が、祈祷の種類が異なる少なくも６つのサプリメントである学業成就サプリ、武運長久サプリ、恋愛成就サプリ、商売繁盛サプリ、家内安全サプリ及び健康長寿サプリのうちから選ばれた一又は複数のサプリメント、或いは全てのサプリメントであるものとしてもよい。
【００１３】
前記記憶装置に記憶された関連施設が行うお祓い情報を、該関連施設から受付け、前記記憶装置に記憶するお祓い受付手段をさらに備えたものとしてもよい。
【００１４】
商品の開発者の情報を受付ける開発者受付手段をさらに備えたものとしてもよい。
【００１５】
また、本発明の販売促進システムは、商品の販売を促進する販売促進システムであって、サーバと、前記サーバとネットワークを介して接続された複数の情報端末とを備え、前記サーバは、商品の情報が記憶された記憶装置と、前記記憶装置に記憶された商品に関連することを承認するお寺又は神社である関連施設の情報を情報端末から受付けて前記記憶装置に記憶する関連施設受付手段と、前記記憶装置に記憶された商品を販売することを承認した施設である販売施設の情報を受付けて前記記憶装置に記憶する販売施設受付手段とを有することを特徴とする。
【発明の効果】
【００１６】
記憶装置に記憶された商品に関連する施設であることを承認したお寺又は神社が関連施設として記憶され、この関連施設の存在が、商品自体の魅力を向上させることになるため、大きな販売促進の効果が期待できる。さらに、この商品を消費者が購入すると、それ自体が関連施設の宣伝になるため、関連施設の積極的な協力も得られ易く、これがさらに商品価値を高め、販売を促進することにも繋がる。
【図面の簡単な説明】
【００１７】
【図１】本発明を適用した販売促進システムの概念図である。
【図２】販売促進サーバの構成を示すブロック図である。
【図３】記憶装置のデータ構造を概念的に説明する説明図である。
【図４】関連施設受付手段の処理内容を示すフロー図である。
【図５】販売施設受付手段の処理内容を示すフロー図である。
【発明を実施するための形態】
【００１８】
図１は、本発明を適用した販売促進システムの概念図である。本販売促進システムは、商品を開発する開発者と、商品に関連することを承認したお寺又は神社である関連施設と、開発商品を販売することを承認した施設である販売施設とが協力し合って魅力を向上させた商品（販売商品）を販売し、これによって消費者の購買意欲を高め、販売促進を行うものである。
【００１９】
なお、関連施設や、この関連施設の関係する施設である準関連施設も販売施設になることが可能である。
【００２０】
上記のような販売促進の目的を達成するため、本販売促進システムは、販売促進サーバ（情報処理装置，サーバ）１と、該販売促進サーバ１とインタネット等のグルーバルなネットワーク２を介して接続された複数の情報端末３とを備えている。
【００２１】
一の情報端末３は、開発者又は該開発者になる意志を有する者が使用する開発側情報端末３Ａである。
【００２２】
その他の一の情報端末３は、関連施設や、関連施設になる可能性のあるお寺又は神社や、販売施設や、販売施設になる可能性のある施設の者が仕様する施設側端末３Ｂである。
【００２３】
図２は、販売促進サーバの構成を示すブロック図である。この販売促進サーバ１は、ＡＴ互換機等であり、ＣＰＵ及びＲＡＭ等から構成され且つ各種プログラムを実行する制御部１１と、各種情報を記憶する記憶装置１２と、ネットワーク２を介した通信を行う通信手段であるネットワークインターフェース１３とを備えている。
【００２４】
上述の制御部１１は、情報入出力手段１１ａと、開発者受付手段１１ｂと、商品受付手段１１ｃと、関連施設受付手段１１ｄと、提供受付手段１１ｅと、祈祷受付手段１１ｆと、お祓い受付手段１１ｇと、販売施設受付手段１１ｈ、販売商品受付手段１１ｉを備えている。
【００２５】
上記情報入出力手段１１ａは、ネットワークインターフェース２により、情報端末３に情報を提供するとともに、該情報端末３からの情報を受付ける。具体的には、この情報入出力手段１１ａは、ウェブサーバ等により構成され、情報端末３にＷｅｂ画面等のＧＵＩを提供する一方で、該情報端末３から前記ＧＵＩを介して入力した情報を受付ける。
【００２６】
ちなみに、開発者受付手段１１ｂ、商品受付手段１１ｃ、関連施設受付手段１１ｄ、提供受付手段１１ｅ、祈祷受付手段１１ｆ、お祓い受付手段１１ｇ、販売施設受付手段１１ｈ及び販売商品受付手段１１ｉは、この情報入出力手段１１ａを介して、情報端末３とのやり取りを行う。
【００２７】
上記開発者受付手段１１ｂは、消費者に販売する商品を開発する開発者の開発側端末３Ａから、該開発者の情報（開発者情報）を受付け、その開発者情報を記憶装置１２に記憶するように構成されている。ちなみに、開発者側端末３Ａからの開発者情報の提供は、商品開発の申入れも兼ねている。また、開発者は個人でもよいし、或いは組織や会社単位でもよい。
【００２８】
このような開発者情報は、記憶装置１２に予め記憶していてもよいが、前記開発者受付手段１１ａによって順次開発者を募ることにより、より魅力的な商品を開発することが可能になる。
【００２９】
上記商品受付手段１１ｃは、開発者が開発した商品の情報（商品情報）を、該開発者の開発側情報端末３Ｂから受付け、その商品情報を記憶装置１２に記憶するように構成されている。このような商品は、開発を前提とせずに既存の商品を用い、この既存の商品の情報を商品情報として記憶装置１２に予め記憶しておいてもよいが、前記商品受付手段１１ｃによって順次商品を募ることにより、より魅力的な商品が順次開発されることが期待できる。
【００３０】
上記関連施設受付手段１１ｄは、記憶装置１２に記憶された全商品中の一又は複数の商品について関連することを承認したお寺又は神社である関連施設の情報（関連施設情報）を、該関連施設の施設側情報端末３Ｂから受付け、その関連施設情報を記憶装置１２に記憶するように構成されている。
【００３１】
ちなみに、施設側端末３Ａからの関連施設情報の提供は、関連施設への承引の申入れも兼ねている。この他、この関連施設受付手段１４ｄによって関連施設情報を受付ける際は、情報入出力手段１１ａによって、お寺又は神社の施設側情報端末３Ｂに対し、記憶装置１２に記憶されている個々の商品の情報が提供され、自身が関連を許可する商品を理解し易くしている。
【００３２】
上記提供受付手段１１ｅは、記憶装置１２に記憶された関連施設から提供される提供物又はサービスの情報（提供情報）を、該関連施設の施設側情報端末３Ｂから受付け、その提供情報を記憶装置１２に記憶するように構成されている。ちなみに、この提供情報の受付は、個々の関連施設単位で行われる。
【００３３】
提供受付手段１１ａによって受付けられる提供物又はサービスは、記憶装置１２に記憶された商品を購入した消費者に対する特典になるようなものが想定される。例えば、関連施設のパンフレットやお守り等が前記提供物として考えられ、神社又はお寺で行うお払いや販売するお守りの割引券や無料券やそれらの電子クーポン等が前記サービスとして考えられる。
【００３４】
このような関連施設からの提供情報の受付によって、消費者の購買意欲がさらに高まり、販売促進がさらに期待できる。また、この提供情報は、関連施設の宣伝にもなるため、関連施設側にもメリットがあり、積極的な協力を得られ易く、これが商品のさらなる魅力向上に繋がる。
【００３５】
上記祈祷受付手段１１ｆは、前記記憶装置１２に記憶された関連施設が前記記憶装置１２に記憶された商品に対して行う祈祷の情報（祈祷情報）を、該関連施設の施設側情報端末３Ｂから受付け、その祈祷情報を前記記憶装置１２に記憶するように構成されている。
【００３６】
ちなみに、この祈祷の受付は、個々の関連施設が個々の商品単位に行うものであり、祈祷情報もこの実情に沿って関連施設毎で且つ商品毎に管理される。この他、この祈祷受付手段１１ｆによって祈祷情報を受付ける際は、情報入出力手段１１ａによって、関連施設の施設側情報端末３Ｂに対し、記憶装置１２に記憶されている個々の商品の情報が提供され、自身が祈祷する商品を選択し易いようにしている。
【００３７】
このように、個々の関連施設が、自身の選択した商品に対して、自信の選択した祈祷を行うことにより、該商品の特徴付けが行われ、この商品の魅力が高まる。そして、この祈祷受付手段が、商品と関連施設とを関連付ける直接の手段になる。
【００３８】
本例では、祈祷の種類が異なる少なくも６つのサプリメントから選ばれた一又は複数のサプリメント、或いは全てのサプリメントの情報が商品情報として記憶装置１２に記憶されている。例えば、これらのサプリメインは、それぞれ祈祷の種類毎に用意され、「学業成就サプリ」、「武運長久サプリ」、「恋愛成就サプリ」、「商売繁盛サプリ」、「家内安全サプリ」及び「健康長寿サプリ」という名称が付けられ、これらの商品情報が記憶装置１２に記憶されている。ちなみに、このさらのサプリメントは、その祈祷の種類に対応させて、互いに異なる成分としてもよい。
【００３９】
上記お祓い受付手段１１ｇは、前記記憶装置１２に記憶された関連施設が行うお祓いの情報（お祓い情報）を、該関連施設の施設側情報端末３Ｂから受付け、そのお祓い情報を前記記憶装置１２に記憶するように構成されている。
【００４０】
このお祓い情報は、情報入出力手段１１ａによって、消費者にも閲覧可能に構成される他、商品やその添付物でも確認可能であるため、関連施設の宣伝になり、メリットが大きい。また、商品の兼ね合いで、割引サービス等により、お祓いを行うことも可能になるため、商品の購買意欲を喚起することも可能である。
【００４１】
上記販売施設受付手段１１ｈは、前記記憶装置１２に記憶された商品を販売することを承認した施設である販売施設の情報（販売施設情報）を、該施設の施設側情報端末３Ｂから受付け、その販売施設情報を前記記憶装置１２に記憶するように構成されている。
【００４２】
この販売施設受付手段１１は、前記販売施設受付手段は、関連施設自体、或いは該関連施設に関連する施設である準関連施設を、販売施設として受付けることが可能に構成されるとともに、該関連施設及び準関連施設以外の施設（一般施設）を、販売施設として受付けることが可能に構成されている。
【００４３】
ちなみに、この販売施設受付手段１１による受付の際は、情報入出力手段１１ａによって、施設側情報端末３Ｂに対し、前記商品情報、前記関連施設情報及び前記祈祷情報を提供し、自身の施設が販売施設になるか否かを判断し易いようにしてもよい。
【００４４】
関連施設や準関連施設が販売施設にもなれるため、関連施設が自身に関連する商品を、自分自身で販売することになるため、消費者へのサービスの向上も期待できる。
【００４５】
上記販売商品受付手段１１ｉは、記憶装置１２に記憶された販売施設が、記憶装置１２に記憶された個々の商品情報と記憶装置１２に記憶された個々の祈祷情報との組合せで、、自身の施設での販売を承認（希望）した販売商品の情報（販売商品情報）を、該販売施設の施設側情報端末３Ｂから受付け、その販売商品情報を前記記憶装置１２に記憶するように構成されている。
【００４６】
ちなみに、この販売施設受付手段１１による受付の際は、情報入出力手段１１ａによって、施設側情報端末３Ｂに対し、前記商品情報、前記関連施設情報及び前記祈祷情報が提供され、販売商品の選定を行い易いようになっている。
【００４７】
この他、上述のような構成から、販売商品情報には、その商品の情報と、その商品に対して行われる一の祈祷の情報と、該一の祈祷を行う関連施設の情報と、その商品を販売する一の販売施設の情報とが含まれている。言換えると、販売商品情報は、商品情報、祈祷情報、関連施設情報及び販売施設情報の全てが一致しない限り、異なるものになる。
【００４８】
上述の記憶装置１２は、開発者情報を開発者毎に順次格納する開発者情報格納部１２ａと、商品情報を商品毎に順次格納する商品情報格納部１２ｂと、関連施設情報を関連施設毎に順次格納する関連施設情報格納部１２ｃと、提供情報を提供物又はサービス毎に順次格納する提供情報格納部１２ｄと、祈祷情報を各関連施設の行う祈祷毎に順次格納する祈祷情報格納部１２ｅと、お祓い情報を各関連施設の行うお払い毎に順次格納するお祓い情報格納部１２ｆと、販売施設情報を販売施設毎に順次格納する販売施設情報格納部１２ｇと、販売商品情報を順次格納する販売商品情報格納部１２ｈとを有している。
【００４９】
図３は、記憶装置のデータ構造を概念的に説明する説明図である。この記憶装置１２には、ＳＱＬやＯｒａｃｌｅ等のリレーショナブルデータベースが構築されている。
【００５０】
上記開発者情報格納部１２ａは開発者データテーブルであり、このデータテーブルはイニシャルＩＤとして「開発者ＩＤ」を有し、その他のフィールドとして、その開発者の名前や名称を格納する「開発者名」と、その開発者の住所等の具体的な情報を格納する「詳細情報」とを有している。
【００５１】
上記商品情報格納部１２ｂは商品データテーブルであり、このデータテーブルはイニシャルＩＤとして「商品ＩＤ」を有し、その他のフィールドとして、商品名を格納する「商品名」と、その商品に関する具体的な情報を格納する「詳細情報」と、その商品を開発した開発者のイニシャルＩＤを格納する「開発者ＩＤ」とを有している。
【００５２】
すなわち、開発者データテーブル１２ａと、商品データテーブル１２ｂとは、一対多のリレーションシップが設定されている。
【００５３】
上記関連施設情報格納部１２ｃは、関連施設データテーブルであり、このデータテーブルはイニシャルＩＤとして「関連施設ＩＤ」を有し、その他のフィールドとして、関連施設名を格納する「関連施設名」と、その関連施設に関する住所等の具体的な情報を格納する「詳細情報」と、その関連施設がお寺と神社のどちらであるかに関する情報を格納する「施設種別」とを有している。
【００５４】
上記提供情報格納部１２ｄは、提供データテーブルであり、このデータテーブルはイニシャルＩＤとして「提供ＩＤ」を有し、その他のフィールドとして、提供物又はサービスの名前を格納する「提供名」と、その提供物又はサービスに関する具体的な情報を格納する「詳細情報」と、その提供物又はサービスを行う関連施設のイニシャルＩＤを格納する「関連施設ＩＤ」とを有している。
【００５５】
すなわち、関連施設データテーブル１２ｃと、提供データテーブル１２ｄとは、一対多のリレーションシップが設定されている。
【００５６】
上記祈祷情報格納部１２ｅは、祈祷データテーブルであり、このデータテーブルはイニシャルＩＤとして「祈祷ＩＤ」を有し、その他のフィールドとして、祈祷名を格納する「祈祷名」と、その祈祷の内容に関する具体的な情報を格納する「詳細情報」と、その祈祷を行う商品のイニシャルＩＤを格納する「商品ＩＤ」と、その祈祷を行う関連施設のイニシャルＩＤを格納する「関連施設ＩＤ」とを有している。
【００５７】
すなわち、商品データテーブル１２ｂと、祈祷データテーブル１２ｅとは一対多のリレーションシップが設定され、関連施設データテーブル１２ｃと、祈祷データテーブル１２ｅとにも一対多のリレーションシップが設定されている。
【００５８】
上記お祓い情報格納部１２ｆは、お祓いデータテーブルであり、このデータテーブルはイニシャルＩＤとして「お祓いＩＤ」を有し、その他のフィールドとして、お祓い名を格納する「お祓い名」と、そのお祓いの内容に関する具体的な情報を格納する「詳細情報」と、そのお祓いを行う関連施設のイニシャルＩＤを格納する「関連施設ＩＤ」とを有している。
【００５９】
すなわち、関連施設データテーブル１２ｃと、お祓いデータテーブル１２ｆとにも一対多のリレーションシップが設定されている。
【００６０】
上記販売施設情報格納部１２ｇは、販売施設データテーブルであり、このデータテーブルはイニシャルＩＤとして「販売施設ＩＤ」を有し、その他のフィールドとして、販売施設の名称を格納する「販売施設名」と、その販売施設の住所等の具体的な情報を格納する「詳細情報」と、その販売施設が関連施設、準関連施設又は一般施設の何れであるかを示す施設種別の情報が格納される「施設種別」とを有している。
【００６１】
上記販売商品情報格納部１２ｈは、販売商品データテーブルであり、このデータテーブルはイニシャルＩＤとして「販売商品ＩＤ」を有し、その他のフィールドとして、その販売商品に対して行われる祈祷のイニシャルＩＤを格納する「祈祷ＩＤ」と、その販売商品を販売する販売施設のイニシャルＩＤを格納する「販売施設ＩＤ」とを有している。
【００６２】
すなわち、祈祷データテーブル１２ｅと、販売商品データテーブル１２ｈとは一対多のリレーションシップが設定され、販売施設データテーブル１２ｇと、販売商品データテーブル１２ｈとにも一対多のリレーションシップが設定されている。
【００６３】
さらに、上述した通り、この祈祷データテーブル１２ｅに対しては、上述のリレーションシップによって、商品データテーブル１２ｂ及び関連施設データテーブル１２ｃに格納された情報も引出される。このため、この販売商品データテーブル１２ｈには、祈祷情報及び販売施設情報の他に、商品情報及び施設情報も含まれる。
【００６４】
以上のような記憶装置１２のデータ構造によって、制御部１１による上述の処理が可能になる。
【００６５】
図４は、関連施設受付手段の処理内容を示すフロー図である。関連施設受付手段１１ｄは、関連施設の情報を受付けると、ステップＳ１０１から処理を開始する。ステップＳ１０１では、直近に受付けた関連施設情報から関連施設名を抽出し、関連施設データテーブル１２ｃにおいて、新規のイニシャルＩＤを付して新たなレコードを作成し、前記抽出した関連施設名を、この新たなレコードの「関連施設名」のフィールドに格納し、ステップＳ１０２に進む。
【００６６】
ステップＳ１０２では、前記直近に受付けた関連施設情報から詳細情報を抽出し、この抽出した詳細情報を、前記新たなレコードの「詳細情報」のフィールドに格納し、ステップＳ１０３に進む。ステップＳ１０３では、前記直近に受付けた関連施設情報から施設種別を抽出し、この施設がお寺か、神社であるかを確認し、神社である場合には、ステップＳ１０４に進む。ステップＳ１０４では、前記新たなレコードの「施設種別」のフィールドに「神社」をセットし、処理を終了させる。
【００６７】
ステップＳ１０３において、前記直近に受付けた関連施設情報から抽出された施設種別が「お寺」である場合、ステップＳ１０５に進む。ステップＳ１０５では、前記新たなレコードの「施設種別」のフィールドに「お寺」をセットし、処理を終了させる。
【００６８】
図５は、販売施設受付手段の処理内容を示すフロー図である。販売施設受付手段１１ｈは、販売施設情報を受付けると、ステップＳ２０１から処理を開始する。ステップＳ２０１では、直近に受付けた販売施設情報から施設種別を抽出し、この抽出した施設種別が上述の「一般施設」である場合には、ステップＳ２０２に進む。
【００６９】
ステップＳ２０２では、前記直近に受付けた販売施設情報から販売施設名を抽出し、販売施設データテーブル１２ｇにおいて、新規のイニシャルＩＤを付して新たなレコードを作成し、前記抽出した販売施設名を、この新たなレコードの「販売施設名」のフィールドに格納し、ステップＳ２０３に進む。
【００７０】
ステップＳ２０３では、前記直近に受付けた販売施設情報から詳細情報を抽出し、この抽出した詳細情報を、前記新たなレコードの「詳細情報」のフィールドに格納し、ステップＳ２０４に進む。ステップＳ２０４では、前記新たなレコードの「施設種別」のフィールドに「一般施設」をセットし、処理を終了させる。
【００７１】
ステップＳ２０１において、この抽出した施設種別が上述の「関連施設」である場合には、ステップＳ２０５に進む。
【００７２】
ステップＳ２０５では、関連施設データテーブル１２ｃから、その関連施設の関連施設名及び詳細情報を取得し、販売施設データテーブル１２ｇにおいて、新規のイニシャルＩＤを付して新たなレコードを作成し、前記取得した関連施設名及び詳細情報を、この新たなレコードの「販売施設名」及び「詳細情報」のフィールドにそれぞれ格納し、さらに、この新たなレコードの「施設種別」のフィールドに「関連施設」をセットし、処理を終了させる。
【００７３】
ステップＳ２０１において、この抽出した施設種別が上述の「準関連施設」である場合には、ステップＳ２０５に進む。
【００７４】
ステップＳ２０５では、前記直近に受付けた販売施設情報から準関連施設名を抽出し、販売施設データテーブル１２ｇにおいて、新規のイニシャルＩＤを付して新たなレコードを作成し、この新たなレコードの「販売施設名」のフィールドに、前記抽出した準関連施設名を格納し、さらに、前記直近に受付けた販売施設情報から詳細情報を抽出するとともに、関連施設データテーブル１２ｃから、その準関連施設に関連する関連施設関連施設の関連施設名及び詳細情報を取得し、これらの抽出取得した情報及び取得した情報を前記新たなレコードの「詳細情報」に格納し、最後に、この新たなレコードの「施設種別」のフィールドに「準関連施設」をセットし、処理を終了させる。
【００７５】
以上のように構成される本販売促促進システムによれば、開発者と、関連施設と、販売施設とが協力し、魅力的な商品を消費者に提供できるため、販売促進の効果が大いに期待できる。
【００７６】
なお、上述の形態では、販売促進サーバ１が情報端末３に情報を出力することによって、開発者、関連施設及び販売施設に対して各種情報を提供する形態について説明したが、情報端末３を所有していない状況や、所有していてもネットワーク２に接続されていない状況も想定される。
【００７７】
このような場合には、プリンタによって情報入出力手段１１ａを構成する。そして、開発者情報、商品情報、関連施設情報、提供情報、祈祷情報、お祓い情報、販売施設情報又は販売商品情報が適宜掲載された紙等の印刷媒体を、前記プリンタによって印刷し、この印刷媒体を、開発者、お寺又は神社の者、一般施設の者に提供し、上述した各種選択を行って貰う。
【００７８】
また、開発者、お寺又は神社の者、一般施設の者からの開発者情報、商品情報、関連施設情報、提供情報、祈祷情報、お祓い情報、販売施設情報又は販売商品情報は、回答用紙等に記載して貰い、その記載内容を、管理者が、販売促進サーバ１に入力するようにしてもよい。
【符号の説明】
【００７９】
１  販売促進サーバ（情報処理装置，サーバ）
１１ｂ  開発者受付手段
１１ｃ  商品受付手段
１１ｄ  関連施設受付手段
１１ｅ  提供受付手段
１１ｆ  祈祷受付手段
１１ｇ  お祓い受付手段
１１ｈ  販売施設受付手段
１２  記憶装置
２  ネットワーク
３  情報端末
３Ａ  開発側端末
３Ｂ  施設側端末
【図１】
2018181274.tif 000003
【図２】
2018181274.tif 000004
【図３】
2018181274.tif 000005
【図４】
2018181274.tif 000006
【図５】
2018181274.tif 000007